(57)【特許請求の範囲】
【請求項１】
円形状の面発光する無機及び有機エレクトロルミネッセンスによるシート材であって、前記シート材の面に定めた概略的な中心部から適切な距離に定めた始点と、外周縁から内側に向かって適切な距離に定めた終点まで曲率が一様である必要がない弧状切り込みを入れることで、前記始点と終点間で前記シート材が分断され且つ前記切り込みを複数本有し互いに接触又は交差しないことを特徴とする三次元発光構造体。
【請求項２】
請求項１に係る三次元発光構造体であって、前記シート材は両面発光する前記シート材又は２枚の片面発光する前記シート材を貼り合わせることによって、両面発光機能を実現させ且つ給電端子を適切な箇所に有することを特徴とする三次元発光構造体。
【請求項３】
請求項１及び２に係る三次元発光構造体であって、前記シート材は中心部と外周部を重力又は支持具で引き離すことによって、伸縮自在に変形することを特徴とする三次元発光構造体。
【請求項４】
請求項１〜３に係る三次元発光構造体であって、構造体を構成するための補助具及び付属品を有し、発光色又は発光強度の制御回路、電気回路、電源回路の少なくとも１つを有する装置を備えたことを特徴とする三次元発光構造体。
【請求項５】
請求項１〜４に係る三次元発光構造体であって、前記三次元発光構造体を複数個組み合わせる又は連結することを特徴とする三次元発光構造体。
【発明の詳細な説明】
【技術分野】
【０００１】本願発明は、有機及び無機エレクトロルミネッセンスの応用技術分野に於ける。特にエレクトロルミネッセンス（以下、ＥＬと称す）の発光効果を利用した建築物サイン灯や広告用看板、イルミネーション、置物、照明器具などの発光部材として有用な、面発光する有機及び無機ＥＬによるシート材の応用に関する。
【背景技術】
【０００２】ＥＬは発光物が無機物と有機物とに分かれており、それぞれの特徴を有する。有機ＥＬは高輝度の色発光が容易であることによってテレビ等の映像用として、無機ＥＬは光バンド巾が広いことによって照明用として有用であり、それぞれの特徴を活かした開発が進んでいる。有機ＥＬは寿命が短く大きい面積による発光が安定しないことが課題として挙げられるのに対して、無機ＥＬは長寿命で大きい面積による安定した発光が可能であり、現状では無機ＥＬの方が実用的且つ比較的に単純な構造による応用製品が市場に出ているようである。
【発明が解決しようとする課題】
【０００３】現時点に於いての、面発光する有機及び無機ＥＬによるシート材の利用方法としては、平面的な利用に限られているのが実状であって、立体的で複雑な構造体を構築するためには多くの切張りした前記シート材を必要とし且つ電極の配置も複雑となるなどの課題が挙げられる。
【０００４】本願発明は上記の課題に対して、平面状態の前記シート材から、伸縮自在な三次元構造体を形成する前記シート材の構築である。非常に薄くて軽く単純な仕組みで前記三次元構造体が成立し、平面的な利用に留まる前記シート材よりも光の拡散が大きく、視認性などに対して今迄にない優れた効果を与えるような前記シート材による三次元発光構造体ができないかと考えた。
【０００５】その結果、以下の三次元発光構造体を形成する、前記シート材を用いた構造体を創造した。
【課題を解決するための手段】
【０００６】本願発明は、円形状の面発光する有機及び無機ＥＬによるシート材の三次元発光構造体であって、前記シート材の面に定めた概略的な中心部から適切な距離に定めた始点と、外周縁から内側に向かって適切な距離に定めた終点まで曲率が一様である必要がない弧状切り込みを入れることで、前記始点と終点間でシートが分断され且つ前記切り込みを複数本有し互いに接触又は交差しないことを特徴とする。
【０００７】本願発明の三次元発光構造体であって、前記シート材は中心部と外周部を重力又は支持具で引き離すことによって、前記切り込みを有する面が上下に捻れながら伸張することで伸縮自在に変形することを特徴とする。
【０００８】本願発明の三次元発光構造体は、２枚の片面発光する前記シート材を貼り合わせることによって、両面発光機能を実現させ且つ給電端子を適切な箇所に有することを特徴とする。
【０００９】本願発明の三次元発光構造体は、両面発光する前記シート材に対して給電端子を適切な箇所に有することを特徴とする。
【００１０】尚、今後の技術進歩によって、より優れた無機及び有機ＥＬによるシート材が使用可能となれば、それを本願発明に利用することも可能である。
【発明の効果】
【００１１】本願発明は、円形状の面発光する無機及び有機ＥＬによるシート材であって、前記シート材の面に定めた概略的な中心部から適切な距離に定めた始点と、外周縁から内側に向かって適切な距離に定めた終点まで曲率が一様である必要がない弧状切り込みを入れることで、前記始点と終点間でシートが分断され且つ前記切り込みを複数本有し互いに接触又は交差しない面が上下に捻れながら伸張することによって、前記シート材に対して過度なストレスを与えることなく伸縮自在に変形する三次元発光構造体を提供することが可能となった。
【００１２】本願発明の前記三次元発光構造体は、容易に平面状態に戻り且つ軽量である特徴を利用することによって、携帯可能な照明器具やサイン照明器具、イルミネーションや置物などを提供することができる。
【００１３】また、製品として扱う際には、前記の特徴によって少ない占有率を得且つ移動も容易なことから、保管や運搬時に於いてのコストを削減できる。
【図面の簡単な説明】
【００１４】
【図１】本願発明の実施の形態１に係る三次元発光構造体を示す斜視図である。
【図２】本願発明の実施の形態２に係る三次元発光構造体を示す平面図である。
【図３】本願発明の実施の形態３に係る照明器具の斜視図である。
【発明を実施するための形態】
【００１５】以下、本願発明の三次元発光構造体の実施の形態に関して図を参照しつつ説明する。
【００１６】図１は、本願発明の実施の形態１に係る三次元発光構造体を示す。
【００１７】図１（ａ）は、本願発明の実施の一例の三次元発光構造体の平面状態を示す。
【００１８】図１（ｂ）は、図１（ａ）の中心部と外周部とを上下に引き離すことによって、分断された切り込みを有する面が上下に捻れながら伸張することで形成される三次元発光構造体の立体状態を示す。
【００１９】図１（ｃ）は、図１（ｂ）を更に上下に適切な距離まで引き離すことによって形成される、特有のくびれを有する三次元発光構造体の立体状態を示す。
【００２０】尚、図１（ａ）と図１（ｂ）及び図１（ｃ）は、図１（ａ）の三次元発光構造体の中心部と外周部とを上下に伸張する距離を変えることによって形成される形状の変化を示したものであって、図１（ａ）と図１（ｂ）及び図１（ｃ）は同じものである。
【００２１】図２は、本願発明の実施の形態２に係る三次元発光構造体を示す。
【００２２】図２（ａ）及び図２（ｂ）は、本願発明の実施の一例を示す三次元発光構造体であって、図２（ａ）は給電端子Ａと給電ラインＢを外周部に有し、図２（ｂ）はＡとＢを中心部に有す。
【００２３】Ｃは切り込み線、Ｄは発光面、Ｅは図３の支持具Ｈを通す抜き穴、ＦはＣの端末処理を示す。
【００２４】図３は、本願発明の実施の形態３に係る三次元発光構造体を使用した照明器具を示す。
【００２５】図３（ａ）及び図３（ｂ）は、本願発明の実施の一例を示す三次元発光構造体を使用した照明器具であって、図３（ａ）は２個の図１（ｂ）を背合わせにしてお互いが離れないように外周部を固定させたもの、図３（ｂ）は２個の図１（ｃ）を前記と同様に固定させたものである。
【００２６】尚、図３（ａ）及び図３（ｂ）は、支持具Ｈの長さを変えることによって形成される形状の照明器具を示したものであって、図３（ａ）及び図３（ｂ）は同じものである。
【００２７】Ｇは、図３（ａ）及び図３（ｂ）の形状維持のためのゴム製バンドを示す。
【００２８】Ｈ及びＩは、図３（ａ）及び図３（ｂ）の形状維持のための支持具であり、Ｊは給電線を示す。
【符号の説明】Ａ：給電端子
Ｂ：給電ライン
Ｃ：切り込み線
Ｄ：発光面
Ｅ：抜き穴
Ｆ：端末処理
Ｇ：ゴム製バンド
Ｈ：支持具
Ｉ：支持具
Ｊ：給電線
【図１】
0005463501.tif 000002
【図２】
0005463501.tif 000003
【図３】
0005463501.tif 000004